(57)【要約】【課題】  天井裏における設置作業が簡易な換気ユニットおよびその設置構造を提供する。【解決手段】  本発明の換気ユニット１は、天井裏に設置される換気ユニット１であって、少なくとも後面下部に天井パネル下地材２に載置・係合される載置・係合部材１ｄを備えてなるものであり、前記換気ユニット１が、本体カバー１ａと、該本体カバー１ａ下面から一体形成された角パイプ状のルーバー接続部１ｂとを有し、前記ルーバー接続部１ｂの後面に固定用ビス３の挿通孔１ｆが形成されてなるのが好ましい。一方、本発明の換気ユニットの設置構造Ｋは、前記換気ユニット１を天井裏に設置する換気ユニット１の設置構造Ｋであって、天井パネル下地材２が、載置・係合部材１ｄを載置する載置部材を備えてなり、ルーバー接続部１この後面が載置部材にビス留め固定されてなるのが好ましい。【選択図】  図１
2005106359.tif 000002
【特許請求の範囲】
【請求項１】
天井裏に設置される換気ユニットであって、少なくとも後面下部に天井パネル下地材に載置・係合される載置・係合部材を備えてなることを特徴とする換気ユニット。
【請求項２】
前記換気ユニットが、本体カバーと、該本体カバー下面から一体形成された角パイプ状のルーバー接続部とを有し、前記ルーバー接続部の後面に固定用ビスの挿通孔が形成されてなることを特徴とする請求項１記載の換気ユニット。
【請求項３】
請求項１または２記載の換気ユニットを天井裏に設置する換気ユニットの設置構造であって、
天井パネル下地材が、載置・係合部材を載置する載置部材を備えてなることを特徴とする換気ユニットの設置構造。
【請求項４】
ルーバー接続部の後面が載置部材にビス留め固定されてなることを特徴とする請求項３記載の換気ユニットの設置構造。
【発明の詳細な説明】
【技術分野】
【０００１】
本発明は，換気ユニットおよびその設置構造に関する。さらに詳しくは，天井裏に設置される換気ユニットおよびその設置構造に関する。
【背景技術】
【０００２】
従来より、建物天井に換気ファンなどの換気ユニットを設置する設置構造は、換気ユニットが大型の場合、例えば吊りボルトを用いて建物構造体（梁等）に吊設する方式が一般的である。
【０００３】
また、換気ユニットが小型の場合は、石膏ボードなどの天井面材により換気ユニットを支持させる方式も多い。
【０００４】
ところが、吊りボルトを用いて換気ユニットを建物構造体により支持する方式は、レベル合わせや位置合わせの調整が難しく、手間がかかるといった問題がある。
【０００５】
また、天井面材により支持する方式は、支持強度が天井面材の強度に依存することとなって、耐久性に不安があるといった問題がある。
【発明の開示】
【発明が解決しようとする課題】
【０００６】
本発明はかかる従来技術の課題に鑑みなされたものであって、天井裏における設置作業が簡易な換気ユニットおよびその設置構造を提供することを目的としている。
【課題を解決するための手段】
【０００７】
本発明の換気ユニットは、天井裏に設置される換気ユニットであって、少なくとも後面下部に天井パネル下地材に載置・係合される載置・係合部材を備えてなることを特徴とする。
【０００８】
本発明の換気ユニットにおいては、前記換気ユニットが、本体カバーと、該本体カバー下面から一体形成された角パイプ状のルーバー接続部とを有し、前記ルーバー接続部の後面に固定用ビスの挿通孔が形成されてなるのが好ましい。
【０００９】
本発明の換気ユニットの設置構造は、前記換気ユニットを天井裏に設置する換気ユニットの設置構造であって、天井パネル下地材が、載置・係合部材を載置する載置部材を備えてなることを特徴とする。
【００１０】
本発明の換気ユニットの設置構造においては、ルーバー接続部の後面が載置部材にビス留め固定されてなるのが好ましい。
【発明の効果】
【００１１】
本発明の換気ユニットは、簡易に天井裏に設置できるという優れた効果を奏する。
【００１２】
また、本発明の換気ユニットの設置構造によれば、充分な強度で換気ユニットを天井裏に設置できるという優れた効果を奏する。
【発明を実施するための最良の形態】
【００１３】
以下、添付図面を参照しながら本発明を実施形態に基づいて説明するが、本発明はかかる実施形態のみに限定されるものではない。
【００１４】
図１に、本発明の一実施形態に係る換気ユニットおよびその設置構造を斜視図により示す。図１に示すように、この設置構造Ｋにおいては、換気ファンなどの換気ユニットは、天井面材が取り付けられる天井パネル下地材２に載置して支持されている。なお、天井パネル下地材２は、後述の換気ユニット１のルーバー接続部１ｂを下方に突出させつつ換気ユニット１を載置することができように、あらかじめ枠組み（桟木組み）がなされるものとされる。
【００１５】
換気ユニット１は、図２に側面図で示すように、略直方体形状の本体カバー１ａを有するとともに、下面の一部に、図示しない天井通風孔（ルーバー）に接続されるルーバー接続部１ｂが設けられるものとされる。
【００１６】
ルーバー接続部１ｂは短い角パイプ状とされ、ルーバー接続用ダクトとして機能するとともに、後述する固定用ビス３を通すビス用透孔１ｆが、本体カバー１ａの後面と一体的に形成されている後面に設けられており、これにより換気ユニット１を天井パネル下地材２に固定するための固定部としても機能するものとされる。
【００１７】
本体カバー１ａの前面には、給気および排気の各通風ダクトが接続されるダクト接続開口部１ｃが複数個設けられるものとされる。
【００１８】
しかして、図１および図２に示すように、換気ユニット１は、所定間隔で平行に配された一対の天井パネル下地材２の上に載置される。より詳しくは、一方の天井パネル下地材２に本体カバー１ａの下面が直接置かれ、他方の天井パネル下地材２に本体カバー１ａの後面下部に立設される平板状の載置・係合用金具（載置・係合部材）１ｄ（図３参照）が載置される。
【００１９】
図３に、図２の破線により囲まれたＡ部を拡大して示す。
【００２０】
同図に示すように、換気ユニット１の本体カバー１ａの後面下部には、換気ユニット１を天井パネル下地材２に載置したときに、天井パネル下地材２の上面と係合する載置・係合用金具１ｄが設けられる。
【００２１】
また、天井パネル下地材２上面に載置・係合用金具１ｄを係合させた状態で天井パネル下地材２の側面と対向する部分、ここではルーバー接続部１ｂの後面には、横方向のずれを防止するよう天井パネル下地材２に換気ユニット１を固定するための固定用ビス３が挿通されるビス透孔１ｆが設けられる。
【００２２】
なお、図４に示すように、換気ユニット１の載置される各天井パネル下地材２の上面の高さがくい違う場合は、スペーサ４を介装して載置する。これにより、換気ユニット１を水平に設置することが可能となる。
【００２３】
また、図５に示すように、設置位置で天井パネル下地材２の間隔が広く、強度的な問題が懸念される場合は、補強材２ａを適宜箇所に設けることによって、充分な強度を確保することができる。
【００２４】
このように、実施形態の換気ユニット設置構造Ｋは、建物構造体や天井面材により換気ユニット１を支持するのではなく、天井面材が取り付けられる天井パネル下地材２に載置して換気ユニット１を支持するよう構成されている。これにより、建物構造体から吊りボルトを用いて吊り下げる場合のような煩雑な作業を行うことなく、簡易な作業で換気ユニット１を設置することが可能であり、しかも天井面材により支持する場合のような強度的不安を排除して、充分な強度で換気ユニット１を支持することが可能となる。
【００２５】
以上、本発明を実施形態に基づいて説明してきたが、本発明はかかる実施形態のみに限定されるものではなく、種々改変が可能である。例えば、実施形態では本体カバー１ａの後面下部に載置・係合用金具１ｄが設けられていたが、載置・係合用金具１ｄ側面下部にも設けるようにしてもよい。
【００２６】
しかして、本発明は、天井に換気ユニットを設ける場合に適用することができる。
【図面の簡単な説明】
【００２７】
【図１】本発明の一実施形態に係る換気ユニット設置構造を示す斜視図である。
【図２】同構造の側面図である。
【図３】同構造の一部拡大図である。
【図４】同構造の他の設置例を示す側面図である。
【図５】同構造における桟木組の他の一例を示す斜視図である。
【符号の説明】
【００２８】
１      換気ユニット
１ａ    室内側通風開口
１ｂ    パネル固定部
１ｃ    本体カバー
１ｄ    載置・係合用金具
２      天井パネル下地材
３      固定用ビス
４      スペーサ
Ｋ      設置構造
【図１】
2005106359.tif 000003
【図２】
2005106359.tif 000004
【図３】
2005106359.tif 000005
【図４】
2005106359.tif 000006
【図５】
2005106359.tif 000007